(57)【要約】輝度能力のために演色能力を犠牲にすることによって、カラーディスプレイシステム（200）における省電力を達成する。このシステム（200）は、複数の発光素子（202,204,206）を具える。これらの発光素子に、合計すると第１の総電力入力になる初期の電力入力を供給し、これにより各発光素子はそれぞれ初期の第１の色強度、第２の色強度および第３の色強度を発生し、これらの色強度が合成された初期の総輝度として人間の目に知覚できる。次に、各発光素子にそれぞれ第２の電力入力を供給することによって電力入力を第２の総電力入力に低減し、前記第１の総電力入力より小さい第２の総電力入力を得る。
2008500575.tif 000002
【特許請求の範囲】
【請求項１】
少なくとも第１のカラー発光素子、第２のカラー発光素子および第３のカラー発光素子を具え、これらの発光素子に、合計すると第１の総電力入力P0になるPC1,0、PC2,0およびPC3,0でそれぞれ表される初期電力入力を供給し、これにより各発光素子が初期の第１の色強度、第２の色強度および第３の色強度をそれぞれ生成し、これらの色強度が合成されて初期の総輝度として人間の目に知覚できるカラーディスプレイシステムを動作する方法において、各発光素子に、PC1,1、PC2,1およびPC3,1で表される第２の電力入力を供給することによって、電力入力を第２の総電力入力に低減して、前記第１の総電力入力より低い第２の総電力入力を得るようにし、ここで各発光素子の電力比がPC3,1/PC3,0＜PC2,0/PC2,1及びPC1,1/PC1,0＜PC2,0/PC2,1の関係を満たすことを特徴とする方法。
【請求項２】
電力入力の低減後の発光素子からの合成強度が、電力入力低減前の初期の総輝度と略等しい総輝度として人間の目に知覚できることを特徴とする請求項１に記載の方法。
【請求項３】
第２のカラー発光素子への電力入力を増大させて、第２のカラー発光素子が、第１の色強度および第３の色強度と合成されてほぼ前記第１の総輝度として人間の目に知覚される第２の色強度を生成することを特徴とする請求項１に記載の方法。
【請求項４】
第１のカラー発光素子および第３のカラー発光素子への電力入力が、ほぼゼロであることを特徴とする請求項３に記載の方法。
【請求項５】
前記システムは少なくとも第４のカラー発光素子も具え、前記第４のカラー発光素子に電力を入力して、前記第４のカラー発光素子が第４の色強度を生成し、第４の色強度が第２の色強度と合成されて前記第１の総輝度として人間の目に知覚できることを特徴とする請求項４に記載の方法。
【請求項６】
第１〜第３のカラー発光素子への電力入力は互いに、PC3,1/PC3,0＜0.7*PC2,0/PC2,1かつPC1,1/PC1,0＜0.7*PC2,0/PC2,という関係を満たすことを特徴とする請求項１に記載の方法。
【請求項７】
第１〜第３のカラー発光素子への電力入力は互いに、PC3,1/PC3,0＜0.5*PC2,0/PC2,1かつPC1,1/PC1,0＜0.5*PC2,0/PC2,1という関係を満たすことを特徴とする請求項１に記載の方法。
【請求項８】
前記第１、前記第２および前記第３の色が、それぞれ、赤色、緑色および青色であることを特徴とする請求項１〜７のいずれかに記載の方法。
【請求項９】
前記第４の色は、シアン色、黄色およびアンバー色のいずれかであることを特徴とする請求項５に記載の方法。
【請求項１０】
少なくとも第１のカラー発光素子、第２のカラー発光素子及び第３のカラー発光素子と、各発光素子に、合計すると第１の総電力入力P0になるPC1,0、PC2,0およびPC3,0でそれぞれ表される初期の電力入力を各発光素子に供給するように構成される制御回路とを具え、前記初期の電力入力により各発光素子が初期の第１の色強度、第２の色強度および第３の色強度をそれぞれ生成し、これらの色強度が合成されて初期の総輝度として人間の目に知覚できるカラーディスプレイシステムにおいて、前記制御回路が、PC1,1、PC2,1およびPC3,1で表される第２の電力入力を各発光素子に供給することによって、電力入力を第２の総電力入力P1に低減して、前記第１の総電力入力P0より少ない第２の総電力入力P1を得るよう構成され、ここで各発光素子の電力比がPC3,1/PC3,0＜PC2,0/PC2,1及びPC1,1/PC1,0＜PC2,0/PC2,1の関係を満たすことを特徴とするカラーディスプレイシステム。
【請求項１１】
電力入力の低減後の発光素子からの合成強度が、電力入力低減前の初期の総輝度と略等しい総輝度として人間の目に知覚できるように、制御回路を構成することを特徴とする請求項１０に記載のシステム。
【請求項１２】
第２のカラー発光素子への電力入力を増大させて、第２のカラー発光素子が、第１の色強度および第３の色強度と合成されてほぼ前記第１の総輝度として人間の目に知覚される第２の色強度を生成するように制御回路が構成されていることを特徴とする請求項１０または１１に記載のシステム。
【請求項１３】
制御回路が、第１のカラー発光素子および第３のカラー発光素子への入力を略ゼロまで低減するように構成されることを特徴とする請求項１２に記載のシステム。
【請求項１４】
前記システムが少なくとも第４のカラー発光素子も具え、前記第４のカラー発光素子に電力を入力して、前記第４のカラー発光素子が第４の色強度を生成し、第４の色強度が第２の色強度と合成されて前記第１の総輝度として人間の目に知覚できるように制御回路が構成されることを特徴とする請求項１３に記載の方法。
【請求項１５】
第１〜第３のカラー発光素子への電力入力は互いに、PC3,1/PC3,0＜0.7*PC2,0/PC2,1かつPC1,1/PC1,0＜0.7*PC2,0/PC2,1という関係を満たすことを特徴とする請求項１０に記載のシステム。
【請求項１６】
第１〜第３のカラー発光素子への電力入力は互いに、PC3,1/PC3,0＜0.5*PC2,0/PC2,1かつPC1,1/PC1,0＜0.5*PC2,0/PC2,1という関係を満たすことを特徴とする請求項１０に記載のシステム。
【請求項１７】
前記第１、前記第２および前記第３の色は、それぞれ、赤色、緑色および青色であることを特徴とする請求項１０に記載のシステム。
【請求項１８】
前記第４の色は、シアン色、黄色およびアンバー色のいずれかであることを特徴とする請求項１４〜１７のいずれか１項に記載のシステム。
【請求項１９】
請求項１０に記載のカラーディスプレイシステムを具える電子デバイス。
【請求項２０】
前記デバイスがバッテリで動作する請求項１９に記載のデバイス。
【請求項２１】
画像信号内容に従って、発光素子へのパワーレベルを調節する電子回路を含む請求項１９または２０に記載のデバイス。
【発明の詳細な説明】
【技術分野】
【０００１】
本発明はカラーディスプレイシステムおよびこの種のシステムを動作する方法に関するものである。
【背景技術】
【０００２】
近年、ポータブルコンピュータ、自動車電話、ＰＤＡおよびデジタルカメラのような電子デバイス分野では、これらのデバイスのカラーディスプレイに、明るくカラフルな画像およびそれほどカラフルでない文字情報の表示を可能にするという消費需要の要求が厳しくなっている。
【０００３】
さらに、この種のデバイスの携帯性に対する改良要求、すなわち、小型かつ軽量設計に対する要求がある。しかし、軽量化の要求はしばしばバッテリ容量の要求と相反し、それゆえ、長いバッテリ動作時間を維持するためにデバイスのエネルギー消費を抑える要求がより厳しくなっている。
【０００４】
現代のディスプレイシステム、例えばカラー液晶パネルは、ディスプレイを全可視波長スペクトルで照明するために、蛍光灯を利用する。色情報はピクセル群に対する間違った色を吸収するようにディスプレイパネルに吸収型のカラーフィルタを組み込むことによって達成され、その結果、赤色、緑色、および青色の画像はこれらの個々のピクセル群によって得られる。
【０００５】
この種のデバイスのバッテリ動作寿命を改善するために、バックライトシステムは、一般的に、デバイスがバッテリ動作時にはローパワーモードに、主電源接続時にはハイパワーモードに設定可能に構成される。
【０００６】
それゆえ、蛍光管を使用する照明方法を利用した現在の技術において、バックライトシステムにおける種々のパワー設定を可能にする唯一の方法は、蛍光管に供給する電力を減らすことであるが、これはディスプレイの輝度(明るさ)が低下するという問題を引き起こす。
【０００７】
米国特許第６２６２７１０号には、ポリマーディスプレイの省電力が記載されている。種々の色空間の効果に関する計算を用いて、デバイスの演色能力を維持しながら、低消費電力を達成する解を導いている。この種の計算は複雑なので、ディスプレイを動作させるのに必要な制御回路は複雑な設計を必要とする。
【発明の開示】
【発明が解決しようとする課題】
【０００８】
したがって、本発明の目的は、従来技術のカラーディスプレイシステムの消費電力に関する欠点を解決することにある。
【課題を解決するための手段】
【０００９】
本発明の目的は、少なくとも第１カラー発光素子、第２カラー発光素子および第３カラー発光素子を具えているカラーディスプレイシステムおよびこの種のシステムを動作する方法によって達成される。これらの発光素子は、合計すると第１の総電力入力P0になるPC1,0、PC2,0およびPC3,0でそれぞれ表される初期電力入力を供給され、これにより各発光素子は初期の第１の色強度、第２の色強度および第３の色強度をそれぞれ提供し、これらの色強度が合成されて初期の総輝度として人間の目に知覚できる。次に、各発光素子に、PC1,1、PC2,1およびPC3,1で表される第２の電力入力を供給することによって、入力電力を第２の総電力入力に低減し、これにより前記第１の総電力入力より低い第２の総電力入力を得るようにし、ここで各発光素子の電力比がPC3,1/PC3,0＜PC2,0/PC2,1及びPC1,1/PC1,0＜PC2,0/PC2,1の関係を有する。
【００１０】
電力入力の低減後の発光素子からの合成強度が、電力入力低減前の初期の総輝度と略等しい総輝度として人間の目に知覚できることが好ましい。
【００１１】
第２のカラー発光素子への電力入力を増大させて、第２のカラー発光素子が、第１の色強度および第３の色強度と合成されてほぼ前記第１の総輝度として人間の目に知覚される第２の色強度を生成することもまた好ましい。
【００１２】
好適実施例においては、第１のカラー発光素子および第３のカラー発光素子への電力入力は、ほぼゼロとする。
【００１３】
前記システムは少なくとも第４のカラー発光素子も具え、前記第４のカラー発光素子に電力を入力して、前記第４のカラー発光素子が第４の色強度を生成し、第４の色強度が第２の色強度と合成されて前記第１の総輝度として人間の目に知覚できるようにしてもよい。
【００１４】
好適実施例においては、第１〜第３のカラー発光素子への電力入力は互いに、PC3,1/PC3,0＜0.7*PC2,0/PC2,1及びPC1,1/PC1,0＜0.7*PC2,0/PC2,1という関係を有するものとする。
【００１５】
他の好適実施例において、第１〜第３のカラー発光素子への電力入力は互いに、PC3,1/PC3,0＜0.5*PC2,0/PC2,1及びPC1,1/PC1,0＜0.5*PC2,0/PC2,1という関係を有するものとする。
【００１６】
第１、第２、第３の色はそれぞれ赤色、緑色、青色であることが好ましく、第４の色はシアン色、黄色、アンバー色のうちのいずれかである。
【００１７】
例えばＬＥＤバックライト型液晶ディスプレイのように赤色、緑色および青色の光を発生する個々の発光素子を用いることによって、カラーバランスを個々の使用モードに合わせて最適化できる、すなわち、演色能力に関する種々の要求に適応できるので、電力使用を改善でき、したがってバッテリ動作寿命も改善できる。人間の目はスペクトルの緑色部分に最も高い感度を有するので、白色を緑色の方へ動かし、同時にこれらの発光素子に供給する電力を減らすことによって同じ表示輝度を維持することは可能である。
【００１８】
代表的なカラーディスプレイシステムでは、完全な白画像を生成するときに、緑色光は６０％、赤色光は３０％、青色光は１０％の割合で知覚輝度に寄与する。それゆえ、本発明によるディスプレイシステムをＰＣに組み込むと、例えばワード編集のみが必要とされる場合には、緑色の発光素子の強度を６６％増大させるとともに赤色および青色の発光素子（例えばＬＥＤ）を完全にスイッチオフすることができる。その結果、ディスプレイシステムの消費電力は５０％減るが、知覚輝度は不変である。このような場合の欠点は、緑色の画像しか見えず、全ての文字が緑色に見えるということである。
【００１９】
第４の発光素子を加えると複雑になるが、ＬＥＤの形のシアン色またはアンバー色の発光素子は非常に効率的で、省電力の様々な効果に貢献し、また、多数の魅力的な色が達成でき、エンドユーザに魅力的な製品を開発するために設計の自由度与えることができる。さらに、シアン色のＬＥＤは例えば青色のＬＥＤより寿命が長い。このように、余分に複雑になるが、これはデバイスの寿命が長くなったことで補償できる。
【００２０】
本発明の方法は、個々の発光素子（例えばＬＥＤバックライト型ＬＣＤ製品、ポリＬＥＤディスプレイ、レーザーベースのディスプレイなど）が赤色、緑色および青色の光を発生するような製品に特に有効である。
【００２１】
本発明のこれらおよびその他の態様は、以下に記載されている実施例を参照して明瞭に説明される。
【発明を実施するための最良の形態】
【００２２】
以下、ＲＧＢ色空間の特性を有する発光素子の例を参照して本発明を説明する。バックライト付のＬＣＤ、ポリＬＥＤおよび走査型レーザーシステムにおける本発明の適用の定性的な例を示し、次に定量的実験およびシミュレーションの説明をする。
【００２３】
人間の目は、図１ａに示すように、異なる波長の光に異なる感度を有する。相対感度が、ナノメートルの波長の関数としてプロットされている。点線のカーブ101は、かん体（本質的に明るさのみに感度を有する目の細胞）の相対感度を示す。実線のカーブ102は、錐体（種々の色に感度を有する目の細胞）の相対感度を示す。赤色(Ｒ)、緑色（Ｇ）および青色（Ｂ）もまた、図１ａに示されている。以下の好適実施例の説明では、人間の目に知覚できる光のスペクトルについて言及する。このようなスペクトル範囲は、約４００ナノメートルから約７００ナノメートルの範囲にある。
【００２４】
図１ｂは周知のＣＩＥ１９３１色度図を示し、後述することとなる実験およびシミュレーションで使用する色域を定める赤色Ｒ、緑色Ｇ、青色Ｂ、シアン色Ｃ、アンバー色Ａの座標を示す。
【００２５】
図２は、ＬＣＤ用のいわゆるバックライトシステムの形態の本発明に係るカラーディスプレイシステム200を示す。システム200は、例えばポータブルコンピュータ、ＰＤＡ、自動車電話、デジタルカメラ、または電力効率のよいディスプレイシステムを必要とするその他の種類の電子デバイスの一部を形成しうる。詳細には説明しないが、図２の参照符号220で示すこの種の電子デバイスは、通常動作に必要な全ての機能を有し、この機能とは、例えばカラーディスプレイシステム200に表示すべきデータおよび、カラーディスプレイシステム200を動作するのに必要なその他信号を供給することである。電子デバイス220の機能は当業者に明らかであるため、明確にするために詳細に説明することはしない。
【００２６】
カラーディスプレイシステム200は、発光ダイオード（ＬＥＤ）、すなわち赤色ＬＥＤ202、緑色ＬＥＤ204および青色ＬＥＤ206の形の多くの発光素子への電力入力を制御する制御回路212を具える。ＬＥＤの電源は、システム200の制御回路212に接続されたバッテリ214で示す。一般的に、カラーディスプレイシステム200は、図２に示す３つのＬＥＤよりも多数のＬＥＤを具える。
【００２７】
制御回路212によって制御されるときに、ＬＥＤ202、204および206への電力入力は各ＬＥＤを発光させ、すなわち図２に示すように、赤色光203、緑色光205および青色光207をディフューザ208へと放射する。当業者に明らかなように、ディフューザは発光素子202、204および206からの放射光を混合し、ほぼ連続したスペクトルの白色光209を形成する光を放射する。白色光209はＬＣＤ装置210に入射し、このＬＣＤ装置は電子デバイス220の回路からの制御信号と共に制御回路212によって制御されカラー画像を生成する。
【００２８】
第１動作モードでは、発光素子202、204および206のそれぞれに初期の赤色、緑色、青色発光電力入力を供給するように、ディスプレイシステム200は動作する。これらの個々の電力値を合計すると第１の総電力入力になる。各発光素子202、204および206は、電力入力を光に変換することによって、最初に、赤色、緑色および青色の強度をそれぞれ発生し、これらは、合成され、すなわちディフューザ208から放射される混合光209は、第１の総輝度として人間の目に知覚できる。
【００２９】
第２動作モードでは、赤色発光素子202および青色発光素子206への電力入力を減少させる。それゆえ、第１の総電力入力より少ない第２の総電力入力が得られ、各発光素子202、204および206は赤色、緑色および青色の強度をそれぞれ発生し、これらは、合成されて、ほぼ第１の総輝度として人間の目に知覚できる。
【００３０】
その他の実施例では、図２に示すシステムは、ＬＥＤの代わりにレーザーランプの形の発光素子を具えうる。
【００３１】
赤色輝度が緑色輝度の３３％未満になり、青色輝度が緑色輝度の１２％未満になるように、発光素子への電力を制御することが好ましい。代案としては、赤色および青色の輝度がゼロになるように発光素子への電力を制御することが好ましい。
【００３２】
当業者に明らかであるように、上述した動作は制御装置212の論理回路および電子デバイス220のソフトウェア命令の組合せによって実装されることが好ましい。
【００３３】
図３は、いわゆるポリＬＥＤシステムの形態の本発明に係るカラーディスプレイシステム300を示す。システム300は、例えばポータブルコンピュータ、ＰＤＡ、自動車電話、デジタルカメラ、または電力効率のよいディスプレイシステムを必要とするその他の種類の電子デバイスの一部を形成しうる。詳細には説明しないが、図３の参照符号320で示すこの種の電子デバイスは、通常動作に必要な全ての機能、例えばカラーディスプレイシステム200に表示すべきデータおよびカラーディスプレイシステム200を動作するのに必要なその他信号を供給する機能を有する。電子デバイス320の機能は当業者に明らかであるため、明確にするために詳細に説明することはしない。
【００３４】
カラーディスプレイシステム300は制御回路312を具え、この制御回路312は、Ｘドライバ回路306およびＹドライバ回路308により、発光ダイオード（ＬＥＤ）302の形の発光素子310のマトリックスへの入力を制御する。Ｒ、Ｇ、およびＢでそれぞれ示される赤色、緑色、および青色のＬＥＤに加えて、マトリックス310では、シアン色のＬＥＤ304も存在する。ＬＥＤのマトリックス310の電源は、システム300の制御回路312に接続されたバッテリ314で図示される。
【００３５】
制御回路312およびディスプレイシステム300を組み込む電子デバイス320の回路によって制御されるときに、カラー画像がＬＥＤのマトリックス310に生成されるように、ＬＥＤのマトリックス310への電力入力は各ＬＥＤを発光させる。生成画像は、マトリックス310のＬＥＤの特性によって決まる色域を含む。
【００３６】
第１動作モードでは、マトリックス310の発光素子に初期の赤色、緑色、青色、シアン色の発光電力入力をそれぞれ供給するように、ディスプレイシステム300は動作する。これらの個々の電力値は合計すると第１の総電力入力になる。最初に、マトリックス310の各発光素子は、電力入力を光に変換することによって、赤色、緑色、青色およびシアン色の強度をそれぞれ発生し、これらの光は第１の総輝度として人間の目に知覚できる。
【００３７】
第２動作モードでは、マトリックス310の赤色および青色発光素子への電力入力を減少させる。それゆえ、第１の総電力入力より少ない第２の総電力入力が得られ、マトリックス310の各発光素子は赤色、緑色、青色およびシアン色の強度をそれぞれ発生し、これらの強度は、合成されて、ほぼ第１の総輝度として人間の目に知覚できる。
【００３８】
赤色輝度が緑色輝度の３３％未満になり、青色輝度が緑色輝度の１２％未満になるように、発光素子への電力入力を制御することが好ましい。代案としては、赤色および青色の輝度がゼロになるように、発光素子への電力入力を制御することが好ましい。
【００３９】
当業者に明らかであるように、上述した動作は制御装置212の論理回路および電子デバイス220のソフトウェア命令の組合せによって実装されることが好ましい。
【００４０】
さらに、アンバー色のＬＥＤをシアン色のＬＥＤの代わりに用いることができ、あるいは、５色（例えば赤色、緑色、青色、シアン色、アンバー色）を含むポリＬＥＤディスプレイを用いることもできる。
【００４１】
図４は、いわゆる走査型レーザーシステムの形態の本発明に係るカラーディスプレイシステム400を示す。システム400は、例えばポータブル画像投影システム、または電力効率のよいディスプレイシステムを必要とするその他の種類の電子デバイスの一部を形成しうる。図２と図３で上述した実施例と同様に、カラーディスプレイシステム400はこの種の電子デバイスによって制御される。
【００４２】
カラーディスプレイシステム400は、発光レーザー、すなわち赤色レーザー402、緑色レーザー404、青色レーザー406およびシアン色レーザー408の形の発光素子への電力入力を制御する制御回路412を具える。レーザー402、404、406および408の電源は、システム400の制御回路412に接続されたバッテリ414で図示される。
【００４３】
制御回路412および電子デバイスの回路によって制御されるときに、レーザー402、404、406および408への電力入力はそれぞれ、レーザー光線403、405、407および409の形の光を各レーザーから放射させる。レーザービーム403、405、407および409は折り曲げミラー420およびダイクロイックミラー422の光学系を経て伝播し、合成ビーム411を形成し、この合成ビーム411が走査装置427によって制御される走査鏡426で反射されて参照符号428で示す画像を形成する。走査装置427は当業者にとって周知であるので、その動作は説明しない。
【００４４】
生成画像428は、レーザー402、404、406および408の特性によって決まる色域を含む。
【００４５】
第１動作モードでは、発光素子402、404、406および408のそれぞれに初期の赤色、緑色、青色、シアン色の発光電力入力を供給するように、ディスプレイシステム400は動作する。これらの個々の電力値は合計すると第１の総電力入力になる。各発光素子402、404、406および408は、電力入力を光に変換することによって、最初に、赤色、緑色、青色およびシアン色の強度をそれぞれ発生し、これらの光は第１の総輝度として人間の目に知覚できる。
【００４６】
第２動作モードでは、赤色発光素子402および青色発光素子406への電力入力を減少させる。それゆえ、第１の総電力入力より少ない第２の総電力入力が得られ、各発光素子は赤色、緑色、青色およびシアンの強度をそれぞれ発生し、これらの強度は、合成されて、ほぼ第１の総輝度として人間の目に知覚できる。
【００４７】
赤色輝度が緑色輝度の３３％未満になり、青色輝度が緑色輝度の１２％未満になるように、発光素子402、404、406および408への電力入力を制御することが好ましい。代案としては、赤色および青色の輝度がゼロになるように、発光素子への電力入力を制御することが好ましい。
【００４８】
さらに、黄色のレーザーをシアン色のレーザーの代わりに用いることができ、あるいは、５色（例えば赤色、緑色、青色、シアン色、黄色）を含むポリ走査型レーザープロジェクションシステムを用いることもできる。
【００４９】
従来の固体ＬＥＤを使用した実験により、以下の結果が得られた。表１ａは、ＬＥＤの特性に関する情報を示す。
【００５０】
【表１ａ】
2008500575.tif 000003
【００５１】
表１ａにおいて、ｘおよびｙの値は、図１ｂに示したＣＩＥ１９３１色度図のそれぞれの色の位置を示す。
【００５２】
表１ａのＬＥＤを使用した実験結果を表１ｂに示す。
【００５３】
【表１ｂ】
2008500575.tif 000004
【００５４】
表１ｂの結果から分かるように、ＬＥＤの合成光の合計出力を４１ルーメンに保ちながら、緑色および青色ＬＥＤへの電力入力を減らして、赤色ＬＥＤへの電力入力を増やすと、総低減電力と初期電力との比率が６９％（すなわち0.93/1.35）となる。表１ｂはまた、初期のＬＥＤ出力および電力低減後のＬＥＤ出力のＣＩＥ色度図（図１ｂ）におけるｘおよびｙの位置を示す。図の中央付近（すなわち白色部分）の位置（ｘ、ｙ）＝（0.313,0.329）から、図の赤色部分に近い位置（ｘ、ｙ）＝（0.700,0.299）への移動がある。
【００５５】
ＬＥＤの理論性能値を使用するシミュレーションを表２ａおよび２ｂに示す。ＬＥＤの効率が向上しシミュレーションに使用するＬＥＤの性能データがまもなく実用水準になると仮定する。ＬＥＤ効率の向上に関する考察は、Nordhaus, W.D. の "The economics of new goods", Breshnahan, T.F. et al., eds., pp. 29-70, The University of Chicago Press, 1997, as well as in Bergh, A. et al., "SSL-LED Roadmap 2002", Physics Today 54, pp 42-47, December 2001において見られる。
【００５６】
表２ａは、表１ａに類似しており、アンバー色のＬＣＤおよびシアン色のＬＣＤのデータも示している。
【００５７】
【表２ａ】
2008500575.tif 000005
【００５８】
表２ｂは、表２ａのＬＥＤを使用したシミュレーション結果を示す。電力比（電力％で示す）および光束比（光束％で示す）も表に示し、十分な光束を維持しながら３９％から５２％の範囲の電力比を得ることが可能であることに注意されたい。
【００５９】
種々のシミュレーションにおいて、合成光の色度図のｘおよびｙの位置が緑色部分に近い傾向があることに留意する必要がある。
【００６０】
実際の設計された製品は、本発明を多数の種々の方法で使用できる。例えば、電子写真／ビデオ認識回路を組み込んでいる製品では、ディスプレイの白色点設定（すなわち、個々のカラー光源に対する電力駆動）は、表示された画像内容に自動的に調節される。
【００６１】
省電力モードで実際に選択される色は、最も効率の良い色（すなわち、最も高い発光効率を有する光源の色）の代わりに、視覚的に魅力的な製品（すなわち、筐体の色に関して魅力的な表示色を有する製品）を得るように選択されうる。
【００６２】
【表２ｂ−１】
2008500575.tif 000006
【００６３】
【表２ｂ−２】
2008500575.tif 000007
【００６４】
要約すると、輝度能力のために演色能力を犠牲にすることによって、カラーディスプレイシステムにおける省電力を達成する。このシステムは、複数の発光素子を具える。これらの発光素子に、合計すると第１の総電力入力になる初期の電力入力を供給し、これにより各発光素子はそれぞれ初期の第１の色強度、第２の色強度および第３の色強度を発生し、これらの色強度が合成された初期の総輝度として人間の目に知覚できる。次に、各発光素子にそれぞれ第２の電力入力を供給することによって電力入力を第２の総電力入力に低減し、前記第１の総電力入力より小さい第２の総電力入力を得る。
【図面の簡単な説明】
【００６５】
【図１】（ａ）は異なる波長の光に対する人間の目の相対感度を示し、（ｂ）はＣＩＥ１９３１色度図である。
【図２】本発明の第１実施例に係るシステムのブロック図である。
【図３】本発明の第２実施例に係るシステムのブロック図である。
【図４】本発明の第３実施例に係るシステムのブロック図である。
【図１】
2008500575.tif 000008
【図２】
2008500575.tif 000009
【図３】
2008500575.tif 000010
【図４】
2008500575.tif 000011
【国際調査報告】
2008500575.tif 000012
2008500575.tif 000013
2008500575.tif 000014